(57)【特許請求の範囲】
【請求項１】
ドアインナーパネル（５０）の室内面に装着される自動車用ドアトリム（１０）であって、該ドアトリム（１０）の上端縁には、ドアインナーシール（４０）を取り付けるウエストフランジ部（２３）が設けられ、このウエストフランジ部（２３）のフロント側端縁には、内側に屈曲するガイドリブ（２４）が形成され、このガイドリブ（２４）の端縁部が下方に向かうにつれてテーパー状となる傾斜縁（２５）として設定されていることを特徴とする自動車用ドアトリム。
【請求項２】
ガイドリブ（２４）における傾斜縁（２５）の下側コーナー部（２６）が湾曲状に曲成されていることを特徴とする請求項１に記載の自動車用ドアトリム。
【発明の詳細な説明】
【０００１】
【発明の属する技術分野】
この発明は、自動車用ドアトリムに係り、特に、ドアトリムをドアインナーパネルに取り付ける際、ドアインナーパネルのフランジがドアインナーシールとドアトリムとの間に差し込まれることがなく、円滑な取付作業が期待できる自動車用ドアトリムに関する。
【０００２】
【従来の技術】
通常、図８に示すように、ドアインナーパネルに取り付けられる自動車用ドアトリム１は、所望の曲面形状に成形され、適度の保形性並びにドアパネルへの取付剛性を備えた樹脂芯材２の表面に緩衝性を備える表皮材３を貼着して構成されている。
【０００３】
上記ドアトリム１は、ドアインナーパネル４に対して図示しないクリップ等を介して取り付けられるが、ドアトリム１の上端縁は、樹脂芯材２をフック状に下方に折曲して、ウエストフランジ部５を形成し、このウエストフランジ部５に取り付けられるドアインナーシール６により、ドアウインドウガラス７をシールして、ドアウインドウガラス７の昇降操作を円滑に進めるようにしている。
【０００４】
そして、ドアトリム１をドアインナーパネル４に取り付けるには、図９に示すように、ドアトリム１のフロント側上端コーナー部ａをドアインナーパネル４に係着して、この係着点ａを軸として図９中矢印方向にドアトリム１を図中時計廻り方向に旋回させることにより、ドアインナーパネル４の適正位置に自動車用ドアトリム１を位置決めし、図示しないクリップによりドアインナーパネル４にドアトリム１を取り付けるようにしている。
【０００５】
従って、ドアトリム１の取付初期は、図１０に示すように、ドアインナーパネル４のフランジ４ａに対して、ドアトリム１のウエストフランジ部５の内面がドアインナーパネル４のフランジ４ａ外側面に位置するように図中矢印方向にドアトリム１を差込み装着する作業が必要となる。
【０００６】
【発明が解決しようとする課題】
しかしながら、ドアトリム１の取付初期において、図１０に示すドアトリム１のウエストフランジ部５をドアインナーパネル４のフランジ４ａに取り付ける際、ウエストフランジ部５とドアインナーシール６との間にドアインナーパネル４のフランジ４ａが入り込み、図１１に示すように、組付け不良が生じるという不具合が指摘されている。
【０００７】
更に、従来のドアトリム１の取付方法では、左右方向の正確な位置決め基準がないため、ドアトリム１をドアインナーパネル４にクリップ止めする際、左右方向の位置合わせ作業を必要とし、このことも取付作業性を円滑に進める上での障害となっていた。
【０００８】
この発明は、このような事情に鑑みてなされたもので、ドアインナーパネルにドアトリムを取り付ける際、ドアインナーパネルのフランジがドアトリムとドアインナーシールとの間に差し込まれることがなく、組付け不良の発生を確実に防止することができるとともに、左右方向の確実な位置決めを可能にした自動車用ドアトリムを提供することにある。
【０００９】
【課題を解決するための手段】
上記目的を達成するために、本願の請求項１に記載の発明は、ドアインナーパネルの室内面に装着される自動車用ドアトリムであって、該ドアトリムの上端縁には、ドアインナーシールを取り付けるウエストフランジ部が設けられ、このウエストフランジ部のフロント側端縁には、内側に屈曲するガイドリブが形成され、このガイドリブの端縁部が下方に向かうにつれてテーパー状となる傾斜縁として設定されていることを特徴とする。
【００１０】
ここで、自動車用ドアトリムの構成としては、樹脂芯材の表面に表皮材を貼着した一体物で成形しても良く、また、ドアトリムアッパーとドアトリムロアとの上下２分割体から構成しても良い。上下２分割構成の場合は、ドアトリムアッパーとしては、乗員の肩部等が触れやすいため、樹脂芯材の表面に緩衝性の優れた表皮材を貼着するのが良く、ドアトリムロアとしては、ドアポケットやスピーカーグリル等を一体成形する関係で、射出成形体単体を使用するのが好ましい。
【００１１】
更に、ドアインナーシールをドアトリムに取り付けるために設けられるウエストフランジ部は、ドアトリムと一体に成形しても良いが、ドアトリムと別体に成形した樹脂成形体からなるウエストフランジガーニッシュをドアトリムに超音波溶着、あるいは機械止め固定により固着しても良い。
【００１２】
従って、請求項１に記載の発明によれば、ドアトリムをドアインナーパネルに差込み装着する際、ドアインナーパネルの上端末がガイドリブの傾斜縁に沿ってガイドされるため、ウエストフランジ部とドアインナーシールとの間にドアインナーパネルのフランジが差し込まれることがない。
【００１３】
更に、ドアインナーパネルのフランジの外側にドアトリムのウエストフランジ部が位置するように取り付けた後、ドアインナーパネルのフランジの側縁部がガイドリブの内面に突き当たるように操作することにより、ドアトリムの左右方向の適正な位置決めが可能となる。
【００１４】
本願の請求項２に記載の発明は、ガイドリブにおける傾斜縁の下側コーナー部が湾曲状に曲成されていることを特徴とする。
【００１５】
従って、請求項２に記載の発明によれば、ガイドリブにおける傾斜縁の下側コーナー部が湾曲状に形成されているため、ドアインナーパネルの取付初期におけるドアトリムのガイド性がより向上する。
【００１６】
【発明の実施の形態】
以下、本発明に係る自動車用ドアトリムの実施形態について、図面を参照しながら詳細に説明する。
【００１７】
図１は本発明に係る自動車用ドアトリムの一実施形態を示す正面図、図２は同自動車用ドアトリムの構成を示す部分断面図、図３は同自動車用ドアトリムにおけるウエストフランジ部のフロント側を示す要部斜視図、図４乃至図６は本発明に係る自動車用ドアトリムをドアインナーパネルに取り付ける作業手順を示す各説明図、図７は本発明に係る自動車用ドアトリムの別実施形態の要部構成を示す断面図である。
【００１８】
図１乃至図３において、本発明に係る自動車用ドアトリム１０は、ドアトリムアッパー２０とドアトリムロア３０との上下２分割体から構成されており、ドアトリム１０の上端縁にドアインナーシール４０が取り付けられた状態でドアインナーパネル５０の室内側に装着され、ドアトリム１０は室内美観を高めるとともに、乗員の安全保護を達成し、昇降式ドアウインドウガラス６０をドアインナーシール４０により良好に摺接支持している。
【００１９】
更に詳しくは、ドアトリムアッパー２０は、樹脂芯材２１表面に表皮材２２が一体貼着されており、樹脂芯材２１としては、タルクを混入したポリプロピレン樹脂をモールドプレス成形により所望の曲面形状に一体成形され、この樹脂芯材２１のモールドプレス成形時に表皮材２２が一体化され、表皮材２２としては、ＴＰＯシート（サーモプラスチックオレフィンシート）の裏面にポリエチレンフォームを裏打ちした積層シート材料が使用されている。
【００２０】
また、ドアトリムロア３０は、これもタルクを混入したポリプロピレン樹脂を素材として、ドアポケット３１やスピーカーグリル３２が一体に形成されたモールドプレス成形体から構成されている。
【００２１】
そして、ドアトリムアッパー２０とドアトリムロア３０とは、図示はしないが、一方側に超音波用ボスを立設し、他方側に取付孔を対応して設け、超音波用ボスを取付孔内に挿通させ、超音波用ボスの先端を超音波溶着加工によりカシメ加工することにより取り付けられているが、接合手段はビス止め、フィクスチャ止め等、他の固着手段を用いても良い。
【００２２】
ところで、本発明に係る自動車用ドアトリム１０は、簡易な構成でありながら、ドアインナーパネル５０に対する取付作業性を高めることができるとともに、左右方向の位置決めも簡単かつ精度良く行なえることが特徴である。
【００２３】
すなわち、ドアトリムアッパー２０には、ドアインナーシール４０を取り付けるために、上端縁を下方に折曲したフック状にウエストフランジ部２３が形成され、このウエストフランジ部２３のフロント側端縁には内側に屈曲するガイドリブ２４が一体に形成されており、このガイドリブ２４の端縁部は、傾斜縁２５として設定されている（図３参照）。
【００２４】
尚、ドアインナーシール４０をドアトリム１０に取り付ける構造としては、ドアトリムアッパー２０のウエストフランジ部２３に所定幅方向に沿って所定ピッチ間隔で取付孔２３ａが開設されており、ドアインナーシール４０の係止爪４１を取付孔２３ａに挿入した後、折曲固定することにより、爪固定方式によりドアインナーシール４０がドアトリム１０に取り付けられている。
【００２５】
次いで、上述した構成の自動車用ドアトリム１０をドアインナーパネル５０に取り付ける作業について説明すると、まず、ドアトリムアッパー２０とドアトリムロア３０を接合して、かつドアトリム１０のウエストフランジ部２３にドアインナーシール４０を取り付けて自動車用ドアトリム１０の製作を完了した後、図４に示すように、この自動車用ドアトリム１０のフロント側コーナー部Ａをドアインナーパネル５０に対して係着する。
【００２６】
このとき、図５に示すように、ウエストフランジ部２３のフロント側には、ガイドリブ２４が設けられており、ドアトリム１０を下方向にドアインナーパネル５０のフランジ部５１に差し込んでも、フランジ５１の上端末５１ａがガイドリブ２４の傾斜縁２５に沿ってガイドされ、ドアインナーパネル５０のフランジ５１がウエストフランジ部２３とドアインナーシール４０との間に嵌まり込むことがなく、ドアトリム１０のフロント側コーナー部Ａを円滑に係着固定することができる。
【００２７】
その後、図６に示すように、フロント側コーナー部Ａを基に図中矢印方向にドアトリム１０全体を旋回させて、ドアトリム１０のウエストフランジ部２３をドアインナーパネル５０のフランジ５１の外側に位置させ、その後、自動車用ドアトリム１０の左右方向の位置決めを行ない、ドアインナーパネル５０に対してドアトリム１０の裏面適宜箇所に設けられている図示しないクリップを圧入することにより、自動車用ドアトリム１０をドアインナーパネル５０に取り付けることができる。
【００２８】
このとき、ドアトリム１０の左右方向の位置決め方法として、ドアインナーパネル５０のフランジ５１の側縁５１ｂをガイドリブ２４の内面に突き当てることにより、ドアトリム１０の左右方向の位置決めを正確かつ短時間に行なうことができる。
【００２９】
次いで、図７は本発明に係る自動車用ドアトリム１０の別の実施形態を示すもので、上述実施形態と同一部分には同一符号を付し、その詳細な説明は省略する。
【００３０】
ここでは、ガイドリブ２４の傾斜縁２５の下側コーナー部２６が湾曲状に形成されており、このことにより、ドアインナーパネル５０のフランジ部５１の上端５１ａがガイドリブ２４の湾曲状のコーナー部２６に沿って、よりガイド性良く装着することができる利点がある。
【００３１】
以上の各実施形態では、ドアトリム１０の構成として、ドアトリムアッパー２０とドアトリムロア３０との上下２分割体から構成し、更にドアトリムアッパー２０と一体にウエストフランジ部２３を設けたが、ウエストフランジ部２３をドアトリム１０とは別体のウエストガーニッシュとして形成し、別途超音波溶着等により接合固定しても良く、また、ドアトリム１０の構成として上下２分割体ではなく、一体物として構成しても良い。
【００３２】
【発明の効果】
以上説明した通り、本発明に係る自動車用ドアトリムは、ドアインナーシールを取り付けるウエストフランジ部のフロント側端縁には内側に屈曲するガイドリブを設け、このガイドリブに下方向に向けてテーパー状となる傾斜縁を設けるという構成であるため、ドアインナーパネルのフランジにドアトリムのウエストフランジ部を差込み装着する際、ドアインナーパネルのフランジがウエストフランジ部とドアインナーシールとの間に差し込まれることがなく、組付け不良を可及的に防止でき、取付作業性を高めることができるとともに、ドアインナーパネルのフランジの外側面にウエストフランジ部を位置させた後、ドアインナーパネルのフランジの側縁をガイドリブ内面に突き当てることにより、左右方向の位置決めも簡単かつ精度良く行なえるという効果を有する。
【図面の簡単な説明】
【図１】本発明に係る自動車用ドアトリムの第１の実施形態を示す正面図である。
【図２】図１中ＩＩ−ＩＩ線断面図である。
【図３】図１に示す自動車用ドアトリムのウエストフランジ部をフロント側から見た部分斜視図である。
【図４】図１に示す自動車用ドアトリムをドアインナーパネルに取り付ける初期の状態を示す説明図である。
【図５】本発明に係る自動車用ドアトリムのガイドリブの作用を示す説明図である。
【図６】図１に示す自動車用ドアトリムを旋回操作して、ドアインナーパネルに取り付ける状態を示す説明図である。
【図７】本発明に係る自動車用ドアトリムの別の実施形態を示す要部断面図である。
【図８】従来の自動車用ドアトリムの構成を示す断面図である。
【図９】従来の自動車用ドアトリムをドアインナーパネルに取り付ける作業を示す説明図である。
【図１０】ドアトリムのウエストフランジ部をドアインナーパネルに差し込む作業を示す説明図である。
【図１１】従来の自動車用ドアトリムの組付け不良を示す説明図である。
【符号の説明】
１０  自動車用ドアトリム
２０  ドアトリムアッパー
２１  樹脂芯材
２２  表皮材
２３  ウエストフランジ部
２４  ガイドリブ
２５  傾斜縁
２６  下側コーナー部
３０  ドアトリムロア
３１  ドアポケット
３２  スピーカーグリル
４０  ドアインナーシール
４１  係止爪
５０  ドアインナーパネル
５１  フランジ
５１ａ  上端末
５１ｂ  側縁
６０  ドアウインドウガラス
Ａ  フロント側コーナー部
【図１】
0003580412.tif 000002
【図２】
0003580412.tif 000003
【図３】
0003580412.tif 000004
【図４】
0003580412.tif 000005
【図５】
0003580412.tif 000006
【図６】
0003580412.tif 000007
【図７】
0003580412.tif 000008
【図８】
0003580412.tif 000009
【図９】
0003580412.tif 000010
【図１０】
0003580412.tif 000011
【図１１】
0003580412.tif 000012